(57)【特許請求の範囲】
【請求項１】
隣接する遊技機本体の境界部の前方に設けられる仕切り装置であって、
遊技機毎に空間を仕切るための仕切り板と、
前記境界部の上部に配置され、前記遊技機本体の前方に突出して前記仕切り板を吊り下げる突き出し支持部を有する支持手段とを備え、
前記仕切り板が、前記支持手段の前記突き出し支持部に沿って前後方向に移動可能に支持されており、前記突き出し支持部が斜め上方位置に移動可能に構成されていることを特徴とする仕切り装置。
【請求項２】
前記支持手段が、互いに偏倚して連結された２つの平行なアームを有し、該一方のアームが前記仕切り板の上端に設けられた枠部材に回動可能に装着されているクランク部材と、前記クランク部材の前記他方のアームを回動可能に保持し、遊技機本体の上部に取り付けられている取り付け部材とを備えていることを特徴とする請求項１に記載の仕切り装置。
【請求項３】
前記取り付け部材が、前記仕切り板を、通常使用位置である境界部の前方位置と前記遊技機本体の前面扉を開く際の隣接する遊技機本体側への退避位置とに対応する２つの位置に位置決めする位置決め手段を備えていることを特徴とする請求項２に記載の仕切り装置。
【請求項４】
前記枠部材の上部には、前記クランク部材の前記一方のアームが挿通される挿通孔を有すると共に該一方のアームに沿ってスライド可能な摺動部材が装着されていることを特徴とする請求項２又は３に記載の仕切り装置。
【請求項５】
前記摺動部材が、前記クランク部材の前記一方のアームに対する前記枠部材の長さ方向における装着位置を所定範囲に調整可能に構成されていることを特徴とする請求項４に記載の仕切り装置。
【請求項６】
前記摺動部材が、前記仕切り板を前記遊技機本体に接近した位置に位置決めするスライド位置決め手段を備えていることを特徴とする請求項４又は５に記載の仕切り装置。
【請求項７】
前記取り付け部材が、前記クランク部材の前記他方のアームを回動可能に保持すると共に垂直に立起するクランク保持部と、前記境界部の上面に取り付けられる水平取り付け部とを備えていることを特徴とする請求項２から６のいずれか１項に記載の仕切り装置。
【請求項８】
前記取り付け部材が、前記クランク部材の前記他方のアームを回動可能に保持すると共に垂直に立起するクランク保持部と、前記境界部の前面に取り付けられる垂直取り付け部と、前記クランク保持部と前記垂直取り付け部との間に位置し、前方へ傾斜している傾斜部とを備えていることを特徴とする請求項２から６のいずれか１項に記載の仕切り装置。
【請求項９】
前記仕切り板の下部に、下部空間を仕切るための補助板が設けられていることを特徴とする請求項１から８のいずれか１項に記載の仕切り装置。
【請求項１０】
前記遊技機本体と、隣接する該遊技機本体間の境界部に設けられた、請求項１から９のいずれか１項に記載の仕切り装置とを備えていることを特徴とする遊技機。
【発明の詳細な説明】
【技術分野】
【０００１】
本発明は、隣接する遊技機本体の境界部の前方に設けられる、遊技機毎に空間を仕切るための遊技機用の仕切り装置及びこの仕切り装置を備えた遊技機に関する。
【背景技術】
【０００２】
遊技施設では、複数の遊技機（例えば、パチンコ台、スロット台及び／又はパチスロ台等）が並列に設置されおり、遊技者は遊技機の前面側に設けられた椅子に並んで腰掛けて遊技を行う。この場合、隣接する遊技機との間隔は狭く、各遊技者は非常に接近した状態で遊技を行うため、プライバシーを保つことが難しく、例えば、隣の遊技者からの視線等によって遊技に集中できなくなるという不具合があった。また、隣接遊技者が喫煙した場合、その煙が自分の遊技機エリアにも流入し、非常に不快となる不具合があった。
【０００３】
これらの不具合を解決するため、即ち、隣の遊技者からの視線等が気にならなくなってプライバシーが保たれ、しかも、隣接遊技者からのタバコの煙が気にならなくなり、安心して自分の好みの遊技台で遊技できるように、各遊技機間に仕切り板を設けることが行われている。
【０００４】
しかしながら、仕切り板が、遊技機の前面側に常時突出したままであると、清掃等の作業の邪魔になるとい問題点があった。このような問題点を解消するため、仕切り板を隣接する遊技機本体間に収納することができる台間仕切り装置が提案されている（例えば、特許文献１）。
【０００５】
特許文献１に記載された台間仕切り装置は、格納部と、格納部に支持されこの格納部に格納された状態と仕切る状態とに位置変更可能な仕切り部と、上下一対の蓋部とから構成され、格納部は、台間部に設けられ、前面側が開口する縦長の箱状となっている。仕切り部は、３枚の仕切り板で構成されている。各仕切り板は、上下両縁部がそれぞれサイズの異なる断面コ字状に形成されており、第１仕切り板の上下両縁部の内側に第２仕切り板の上下両縁部が前後方向に摺動自在に嵌合し、第２仕切り板の上下両縁部の内側に第３仕切り板の上下両縁部が前後方向に摺動自在に嵌合している。これにより、各仕切り板を互いに前後方向にずらして、仕切り部の前後方向の長さを変更することができるようになっている。
【先行技術文献】
【特許文献】
【０００６】
【特許文献１】特開２００７−１７５３６８号公報
【発明の概要】
【発明が解決しようとする課題】
【０００７】
しかしながら、一部の遊技機、特に回胴式遊技機（スロットマシン）用島においては、各遊技機の専有スペースが非常に小さくなっている。また、回胴式遊技機の前面扉（操作扉）の開閉時、隣接する遊技機との境界に設けられたメダル貸し機との空隙が少なく、特許文献１に記載されているような構造の収納式の台間仕切り装置は設置することが非常に困難であった。
【０００８】
また、従来の非収納式仕切り板の場合は、遊技機の前面扉の開閉を邪魔するので、遊技機前面扉を開く前に、仕切り板を取り外し、又は回動可能な支持部を設けて上方へ回動させることが必要となり、これは操作が煩雑であるのみならず、仕切り板が遊技機から前方に突出している棚やその他の突出物に突き当たって充分な回避操作を行うことができないという問題があった。
【０００９】
従って本発明の目的は、仕切り板を、開いた状態の前面扉及びその他の突起物のいずれにも邪魔しない位置に容易に退避させることができる遊技機用の仕切り装置及びこの仕切り装置を備えた遊技機を提供することにある。
【００１０】
本発明の目的は、簡単に設置できる遊技機用の仕切り装置及びこの仕切り装置を備えた遊技機を提供することにある。
【課題を解決するための手段】
【００１１】
本発明によれば、遊技機用の仕切り装置は、隣接する遊技機本体の境界部の前方に設けられる仕切り装置であって、遊技機毎に空間を仕切るための仕切り板と、境界部の上部に配置され、遊技機本体の前方に突出して仕切り板を吊り下げる突き出し支持部を有する支持手段とを備え、仕切り板が支持手段の突き出し支持部に沿って前後方向に移動可能に支持されており、突き出し支持部が斜め上方位置に移動可能に構成されている。なお、本明細書において、「前方」、「前方向」及び「前面」とは、遊技機の盤面の方向及び盤面側の面（島への取り付け面とは反対方向及び反対面）を意味しており、「後方」及び「後方向」とは「前方」及び「前方向」と反対側の方向を意味している。
【００１２】
このような遊技機用の仕切り装置によれば、仕切り板を、開いた状態の前面扉にも、例えばメダル貸し機等のその他の突起物にも邪魔しない位置に容易に退避させることができる。
【００１３】
支持手段が、互いに偏倚して連結された２つの平行なアームを有し、一方のアームが仕切り板の上端に設けられた枠部材に回動可能に装着されているクランク部材と、クランク部材の他方のアームを回動可能に保持し、遊技機本体の上部に取り付けられている取り付け部材とを備えていることが好ましい。なお、前述の突き出し支持部は、このクランク部材の一方のアームに相当している。これにより、遊技機の前面扉を開くとき、クランク部材を回動させることのみにより、仕切り板を、開いた状態の前面扉にも、例えばメダル貸し機等のその他の突起物にも邪魔しない斜め上方位置に容易に退避させることができる。しかも、このようなクランク部材を回動させて仕切り板を斜め上方位置に移動させる構成は構造が簡単であるため小型化が可能であり、狭い境界部に容易に設置することが可能である
【００１４】
取り付け部材が、仕切り板を、通常使用位置である境界部の前方位置と遊技機本体の前面扉を開く際の隣接する遊技機本体側への退避位置とに対応する２つの位置に位置決めする位置決め手段を備えていることが好ましい。これにより、回動範囲を規制することができると共に、遊技機本体の前面扉が閉じた状態では、仕切り板を通常使用位置である境界部の前方位置に保持し、遊技機本体の前面扉を開く際に、仕切り板を開いた状態の前面扉にも、例えばメダル貸し機等のその他の突起物にも邪魔しない位置に保持することができる。
【００１５】
枠部材の上部には、クランク部材の一方のアームが挿通される挿通孔を有すると共にこのクランク部材の一方のアームに沿ってスライド可能な摺動部材が装着されていることが好ましい。これにより、クランク部材を回動させる前に、仕切り板を手前にスライドさせることができ、クランク部材を回動させる際に、仕切り板をメダル貸し機等の前面突出部を回避させることができる。
【００１６】
摺動部材が、クランク部材の一方のアームに対する枠部材の長さ方向における装着位置を所定範囲に調整可能に構成されていることが好ましい。これにより、通常使用時における仕切り板の位置を遊技機本体に対して適切な位置に調整することができる。
【００１７】
摺動部材が、仕切り板を遊技機本体に接近した位置に位置決めするスライド位置決め手段を備えていることが好ましい。これにより、仕切り板のスライドを規制し、仕切り板を決められた位置に固定することができる。
【００１８】
取り付け部材が、クランク部材の他方のアームを回動可能に保持すると共に垂直に立起するクランク保持部と、境界部の上面に取り付けられる水平取り付け部とを備えていることが好ましい。これにより、取り付け部材を遊技機本体の上面に取り付けることができる。
【００１９】
取り付け部材が、クランク部材の他方のアームを回動可能に保持すると共に垂直に立起するクランク保持部と、境界部の前面に取り付けられる垂直取り付け部と、クランク保持部と垂直取り付け部との間に位置し、前方へ傾斜している傾斜部とを備えていることが好ましい。これにより、遊技機本体の上面に収納棚を有する場合、取り付け部材を遊技機本体の前面に取り付けることができ、かつ収納棚を回避することができる。
【００２０】
仕切り板の下部に、下部空間を仕切るための補助板が設けられていることが好ましい。これにより、隣接する遊技機との間をより全面的に仕切ることができる。
【００２１】
本発明によれば、遊技機本体と、隣接する該遊技機本体間の境界部に設けられた、上述した遊技機用の仕切り装置とを備えている遊技機が提供される。
【発明の効果】
【００２２】
本発明によれば、遊技機の前面扉を開く際は、仕切り板を、開いた状態の前面扉にも、例えばメダル貸し機等のその他の突起物にも邪魔しない位置に容易に退避させることができる。特に、本発明は、各遊技機の専有スペースが非常に小さく、前面扉（操作扉）の開閉時、隣接する遊技機との境界に設けられたメダル貸し機との空隙が少ない回胴式遊技機（スロットマシン）の仕切り装置に用いて非常に有効である。
【００２３】
本発明によれば、遊技機は、隣接遊技者からのタバコの煙が気にならなくなり、安心して自分の好みの遊技台で遊技できる。
【図面の簡単な説明】
【００２４】
【図１】本発明の一実施形態における遊技機用の仕切り装置の構成を概略的に示す斜視図である。
【図２】図１の実施形態における遊技機用の仕切り装置の構成を概略的に示す正面図及び側面図である。
【図３】図１の実施形態における遊技機用の仕切り装置の上部の構成を概略的に示す局部拡大斜視図である。
【図４】姿勢維持部材の構成を概略的に示す斜視図である。
【図５】摺動部材の構成を概略的に示す斜視図である。
【図６】図１の実施形態における遊技機用の仕切り装置の仕切り板がスライドにより引き出された状態を示す斜視図である。
【図７】図１の実施形態における遊技機用の仕切り装置の仕切り板の退避位置に移動した状態を示す斜視図である。
【図８】図１の実施形態における遊技機用の仕切り装置の仕切り板の退避位置に移動した状態を示す正面図である。
【図９】本発明の他の実施形態における遊技機用の仕切り装置の構成を概略的に示す局部拡大斜視図である。
【図１０】本発明の一実施形態における遊技機の構成を概略的に示す斜視図である。
【図１１】図１０の実施形態における遊技機における前面扉が開いた状態を示す斜視図である。
【図１２】図１０の実施形態における遊技機における前面扉が開いた状態を示す正面から見た図である。
【発明を実施するための形態】
【００２５】
以下、本発明に係る遊技機用の仕切り装置及びこの仕切り装置を備えた遊技機に関する実施形態を、図を参照して説明する。以下に述べる実施形態は、遊技機として、回胴式遊技機（スロットマシン）を想定している。しかしながら、本実施形態の仕切り装置をパチンコ又はパチスロマシン等の遊技機に用いても良いことは明かである。
【００２６】
図１は本発明の一実施形態における遊技機用の仕切り装置１００の全体構成を示している。ただし、図１は、仕切り装置１００を引き出した状態（使用状態）を示しており、図２（ａ）はこの状態の仕切り装置１００を示す正面図であり、図２（ｂ）は側面図である。図３は支持手段２０の構成を示すための拡大斜視図であり、図４は姿勢維持部材２３ａの構成を示しており、図５は摺動部材の構成を示しており、同図（ａ）は仕切り装置１００における摺動部材３０の取り付け状態を示しており、（ｂ）は摺動部材３０の内部構成を示している。また、図６は、仕切り装置１００のスライドにより引き出した状態を示しており、図７は仕切り装置１００の退避位置に移動した状態を示しており、図８は仕切り装置１００の退避位置に移動した状態の正面から見た状態を示している。
【００２７】
図１〜図８に示すように、本実施形態における仕切り装置１００は、仕切り板１０と、支持手段２０と、摺動部材３０と、補助板４０とを備えている。仕切り装置１００は、互いに隣接する遊技機本体Ｐ及びＰ′（図１０参照）の境界部Ｋの前方に配置される。
【００２８】
仕切り板１０は、第１の仕切り板１１と、第２の仕切り板１２と、枠部材１３と、スライドレール１４と、スライド補助レール１５と、取っ手１６とを備えている。第１の仕切り板１１及び第２の仕切り板１２は、例えば、透明又は半透明の樹脂板から形成されている。枠部材１３は、第１の仕切り板１１の上部に設けられている。スライドレール１４は、第２の仕切り板１２に取り付けられ、枠部材１３に沿ってスライドすることができる。スライド補助レール１５は第２の仕切り板１２の下部に取り付けられている。また、取っ手１６は、第２の仕切り板１２の上端角部に設けられている。使用時には取っ手１６を摘んで第２の仕切り板１２を引き出し方向（前方向）へ引っ張ることで、図１に示す使用状態になる。収納時には第２の仕切り板１２を遊技機本体Ｐ方向（後方向）へ押し込んで収納することが可能である。なお、第２の仕切り板１２の引き出し長さは、必要に応じて任意に設定することができる。また、第１の仕切り板１１には、内側（後方）の辺を保護するための保護材１１ａが装着されている。また、境界部Ｋの表面には、仕切り板１０の左右方向のぶれを防止する仕切り板保持部材１１ｂが２つ設けられている。
【００２９】
支持手段２０は、互いに偏倚した２つの平行なアーム２１ａ及び２１ｂを中間の垂直部２１ｃで連結してクランク形状としたクランク部材であって、その一方のアーム２１ａが仕切り板１０の上端に設けられた枠部材１３に回動可能に装着されているクランク部材２１と、クランク部材２１の他方のアーム２１ｂを回動可能に保持し、遊技機本体Ｐの境界部Ｋの上部に取り付けられている取り付け部材２２と、仕切り板１０を通常使用位置である境界部Ｋの前方位置と遊技機本体Ｐの前面扉Ｐ１を開く際に隣接する遊技機本体Ｐ’側への退避位置とにそれぞれ対応する２つの位置に位置決めする位置決め手段２３とを有する。クランク部材２１は、金属棒材をクランク形状に折り曲げて形成され、一方のアーム２１ａが比較的に長く、他方のアーム２１ｂが比較的に短く形成されている。各アームの先端にはナットからなるストッパが設けられている。取り付け部材２２は、クランク部材２１の他方のアーム２１ｂを回動可能に保持すると共に垂直に立起するクランク保持部２２ａと、遊技機本体Ｐの境界部Ｋの前面に取り付ける垂直取り付け部２２ｂと、クランク保持部２２ａと垂直取り付け部２２ｂとの間に位置し、前方へ傾斜する傾斜部２２ｃとを有する。この取り付け部材２２は、遊技機本体Ｐの上部に収納棚が設けられていない場合、遊技機本体Ｐの境界部Ｋの前面に取り付けることができる。位置決め手段２３は、図３〜図５に示すように、２つの位置決め溝Ａ及びＢを有する姿勢維持部材２３ａと、クランク部材２１を取り付け部材２２側へ付勢するバネ２３ｂとから構成されている。
【００３０】
摺動部材３０は、枠部材１３に取り付けられ、クランク部材２１の一方のアーム２１ａが挿通するクランク挿通部３１と、仕切り板１０が遊技機本体Ｐに接近した位置に位置決めするスライド位置決め手段３２とを備えている。クランク挿通部３１は摺動部材３０の内部水平に配置された円筒状部材からなり、クランク部材２１の一方のアーム２１ａを挿通して回動自在とすることで構成されている。スライド位置決め手段３２は、金属板材から板金加工により形成され、クランク部材２１の垂直部２１ｃの外周面に係止する半円形係止部を有する。図５（ａ）に示すように、スライド位置決め手段３２を指で矢印方向へ押すと固定を解除することができる。図５（ｂ）はスライド位置決め手段３２による固定が解除された状態を示している。また、摺動部材３０は、枠部材１３の長さ方向における装着位置を所定範囲に調整するための長穴３３が設けられている。
【００３１】
補助板４０は、例えば、透明又は半透明の樹脂板からクランク状に形成されている。この補助板４０の一端は、第１の仕切り板１１の下端に取り付けられている。
【００３２】
このような構成により、遊技機の前面扉を開く前に、まず、第２の仕切り板１２をスライドして収納する。次に、スライド位置決め手段３２を指で押し固定を解除する。次に、仕切り板１０を前方（手前）にスライドさせ、図６に示す引き出した状態にする。そして、クランク部材２１を姿勢維持部材２３ａの溝Ａから溝Ｂに回動させ、図７及び図８に示すように、仕切り板１０を左上方へ移動させる。これにより、遊技機本体Ｐの前面扉Ｐ１を開くとき、仕切り板１０が隣接する遊技機Ｐ’のメダル貸し機Ｍ及び遊技機の前面扉Ｐ１両方を邪魔しない位置に退避することができ、かつ仕切り装置１００を簡単に設置することができる。
【００３３】
図９は、本発明の他の実施形態における遊技機用の仕切り装置２００の構成を示している。図９に示すように、仕切り装置２００は、仕切り板１０と、支持手段２０Ａと、摺動部材３０と、補助板４０とを備えている。仕切り装置２００は、隣接する遊技機本体Ｐの境界部の前方に配置される。仕切り装置２００は、支持手段２０Ａ以外に、上述した仕切り装置１００と同様な構成を有する。
【００３４】
支持手段２０Ａは、互いに偏倚した２つの平行なアーム２１ａ及び２１ｂを中間の垂直部２１ｃで連結してクランク形状としたクランク部材であって、その一方のアーム２１ａが仕切り板１０の上端に設けられた枠部材１３に回動可能に装着されているクランク部材２１と、クランク部材２１の他方のアーム２１ｂを回動可能に保持し、遊技機本体Ｐの上部に取り付けられている取り付け部材２２Ａと、仕切り板１０を、通常使用位置である境界部Ｋの前方位置と遊技機本体Ｐの前面扉Ｐ１が開いた際に隣接する遊技機本体側への退避位置とにそれぞれ対応する２つの位置に位置決めする位置決め手段２３とを有する。
【００３５】
取り付け部材２２Ａは、クランク部材２１の他方のアーム２１ｂを回動可能に保持すると共に垂直に立起するクランク保持部２２ｄと、境界部の上面に取り付ける水平取り付け部２２ｅとから構成されている。
【００３６】
このような構成により、仕切り装置２００は、遊技機本体Ｐの上部に収納棚が設けられている場合、簡単に取り付けられることができる以外に、上述した仕切り装置１００と同様な効果を得られる。
【００３７】
図１０は本発明の一実施形態における遊技機２００Ａの構成を概略的に示している。同図において、複数の遊技機が並べて設置され、互いに隣接する遊技機本体Ｐ及びＰ’の境界部Ｋに設けられた仕切り板１０が遊技機本体Ｐの前面扉Ｐ１を開く前に隣接する遊技機本体Ｐ’側へ退避する位置に移動されている状態（即ち、クランク部材２１を下から左上に回動させた状態）を示している。
【００３８】
図１０に示すように、遊技機２００Ａは、遊技機本体Ｐと、仕切り装置２００とを備えている。この例では、仕切り装置２００は、遊技機本体Ｐと隣接する遊技機本体Ｐ’のメダル貸し機Ｍとの間の境界部Ｋに設けられている。
【００３９】
図１１及び図１２は遊技機２００Ａの前面扉Ｐ１が開いた状態を示している。図１１及び図１２に示すように、遊技機２００Ａの前面扉Ｐ１が開いた状態では、仕切り板１０が隣接する遊技機本体Ｐ’側へ退避する位置にあるため、前面扉Ｐ１の開閉を邪魔しない。なお、図１１及び図１２において、遊技機本体Ｐ内部の構成を省略して示している。
【００４０】
以上詳細に説明したように、上述した図１〜図８の実施形態によれば、遊技機用の仕切り装置１００は、仕切り板１０と、支持手段２０と、摺動部材３０と、補助板４０とを備えている。また、上述した図９〜図１２の実施形態によれば、仕切り装置２００は、仕切り板１０と、支持手段２０Ａと、摺動部材３０と、補助板４０とを備えている。
【００４１】
これにより、遊技機の前面扉Ｐ１を開く際に、仕切り板１０を移動させることによりメダル貸し機Ｍ及び遊技機の前面扉Ｐ１両方を邪魔しない位置に退避することができる。そして、２段階の引き出し構造により充分な引き出し長さを確保することもできる。
【００４２】
支持手段２０又は２０Ａが、互いに偏倚した２つの平行なアーム２１ａ及び２１ｂを中間の垂直部２１ｃで連結してクランク形状としたクランク部材であって、その一方のアーム２１ａが仕切り板１０の上端に設けられた枠部材１３に回動可能に装着されているクランク部材２１と、クランク部材２１の他方のアーム２１ｂを回動可能に保持し、遊技機本体Ｐの上部に取り付けられている取り付け部材２０とを有している。これにより、遊技機の前面扉Ｐ１を開く際に、クランク部材２１を回動させることにより仕切り板１０がメダル貸し機Ｍ及び遊技機の前面扉Ｐ１両方を邪魔しない位置に退避することができる。特に、クランク部材２１を回動させて仕切り板１０を斜め上方位置に移動させる構成を用いているため、構造が簡単であると共に小型化が可能であり、狭い境界部に容易に設置することが可能となる。
【００４３】
取り付け部材２２及び２２Ａが、仕切り板１０を、通常使用位置である境界部Ｋの前方位置と遊技機本体Ｐの前面扉Ｐ１が開いた際に隣接する遊技機本体Ｐ１’側への退避位置とにそれぞれ対応する２つの位置に位置決めする位置決め手段２３を備えている。これにより、回動範囲を規制することができると共に、遊技機本体Ｐの前面扉Ｐ１を閉じた状態では、仕切り板１０を通常使用される境界部Ｋの前方位置に保持し、遊技機本体Ｐの前面扉Ｐ１を開く際に、仕切り板１０をメダル貸し機Ｍ及び遊技機本体Ｐの前面扉Ｐ１両方を邪魔しない位置に保持することができる。
【００４４】
枠部材１３の上部には、クランク部材２１の一方のアーム２１ａが挿通される挿通孔３１を有しかつこの一方のアーム２１ａに沿ってスライド可能な摺動部材３０が装着されている。これにより、クランク部材２１を回動させる前に、仕切り板１０を手前にスライドさせることができ、しかも、クランク部材２１を回動させる際に、仕切り板１０がメダル貸し機Ｍの前面突出部を回避することができる。
【００４５】
摺動部材３０が、枠部材１３の長さ方向における装着位置を所定範囲に調整するための長穴３３を備えている。これにより、通常使用時における仕切り板１０の位置を、取り付け部材２２及び２２Ａの形状及び寸法に応じて、遊技機本体Ｐに対する適切な位置に調整することができる。
【００４６】
摺動部材３０が、仕切り板１０が遊技機本体Ｐに接近した位置に位置決めするスライド位置決め手段３２を備えていることで、仕切り板１０のスライドを規制し、仕切り板１０を決められた位置に固定することができる。
【００４７】
取り付け部材２２が、クランク部材２１の他方のアーム２１ｂを回動可能に保持すると共に垂直に立起するクランク保持部２２ａと、境界部Ｋの前面に取り付ける垂直取り付け部２２ｂと、クランク保持部２２ａと垂直取り付け部２２ｂとの間に位置し、前方へ傾斜する傾斜部２２ｃとを有している。これにより、遊技機本体Ｐの上面に収納棚を有する場合、取り付け部材２２を境界部Ｋの前面に取り付けることができ、かつ収納棚を回避することができる。
【００４８】
取り付け部材２２Ａが、クランク部材２１の他方のアーム２１ｂを回動可能に保持すると共に垂直に立起するクランク保持部２２ｄと、境界部Ｋの上面に取り付ける水平取り付け部２２ｅとを有している。これにより、取り付け部材２２Ａを境界部Ｋの上面に取り付けることができる。
【００４９】
仕切り板１０の下部に、下部空間を仕切るための補助板４０が設けられている。これにより、隣接する遊技機との間をより全面的に仕切ることができる。
【００５０】
本発明によれば、遊技機は、遊技機本体Ｐと、隣接する該遊技機本体Ｐ’間の境界部Ｋに設けられた、仕切り装置１００又は２００とを備えた。これにより、隣接遊技者からのタバコの煙が気にならなくなり、安心して自分の好みの遊技台で遊技できると共に、遊技機の前面扉Ｐ１が開いた状態では、クランク部材２１の回動により、仕切り板１０をメダル貸し機Ｍ及び遊技機の前面扉Ｐ１の両方を邪魔しない位置に退避することができる。以上述べた仕切り装置を、特に、各遊技機の専有スペースが非常に小さく、前面扉（操作扉）の開閉時、隣接する遊技機との境界に設けられたメダル貸し機との空隙が少ない回胴式遊技機（スロットマシン）の仕切り装置に用いて非常に有効である。
【００５１】
なお、上述した実施形態においては、支持手段２０（又は２０Ａ）は、一方のアーム２１ａが仕切り板１０の上端に設けられた枠部材１３に回動可能に装着されているクランク部材２１と、このクランク部材２１の他方のアーム２１ｂを回動可能に保持し、遊技機本体Ｐの上部に取り付けられている取り付け部材２２（又は２２Ａ）とを有する構成について説明したが、本発明はこれに限定されるものではない。例えば、取り付け部材にスライド溝を設け、クランク部材２１の代わりに、支持手段の突き出し支持部が左、又は左上の方向にスライド可能に構成するようにしてもよい。
【００５２】
また、上述した実施形態において、仕切り装置１００及び２００は、２段階の引き出し構造としたが、本発明はこれに限定されるものではない。必要な引き出し長さに応じて１段階又は３段階以上の引き出し構造としてもよい。
【００５３】
さらに、上述した実施形態において、仕切り装置１００及び２００は、補助板４０を備えた例を説明したが、本発明はこれに限定されるものではない。場合によって、補助板４０を設けなくてもよい。
【００５４】
さらにまた、上述した実施形態において、支持手段２０又は２０Ａは、遊技機本体Ｐ間の境界部Ｋに装着されている例について説明したが、本発明はこれに限定されるものではない。例えば、支持手段２０又は２０Ａを、遊技機本体Ｐの上部枠に装着するようにしてもよい。
【００５５】
以上述べた実施形態は本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【産業上の利用可能性】
【００５６】
本発明は、隣の遊技者のタバコの煙や、隣の遊技者又は遊技機の音声から防御するための遊技機用の仕切り装置に利用できる。
【符号の説明】
【００５７】
１０  仕切り板
１１  第１の仕切り板
１１ａ  保護材
１１ｂ  仕切り板保持部材
１２  第２の仕切り板
１３  枠部材
１４  スライドレール
１５  スライド補助レール
１６  取っ手
２０、２０Ａ  支持手段
２１  クランク部材
２１ａ  一方のアーム
２１ｂ  他方のアーム
２１ｃ  垂直部
２２、２２Ａ  取り付け部材
２２ａ、２２ｄ  クランク保持部
２２ｂ  垂直取り付け部
２２ｃ  傾斜部
２２ｅ  水平取り付け部
２３  位置決め手段
２３ａ  姿勢維持部材
２３ｂ  バネ
２４  止めネジ
３０  摺動部材
３１  クランク挿通部
３２  スライド位置決め手段
３３  長穴
４０  補助板
１００、２００  仕切り装置
２００Ａ  遊技機
Ａ、Ｂ  溝
Ｋ  境界部
Ｐ、Ｐ’  遊技機本体
Ｐ１  前面扉
Ｍ  メダル貸し機
【図１】
0005916679.tif 000002
【図２】
0005916679.tif 000003
【図３】
0005916679.tif 000004
【図４】
0005916679.tif 000005
【図５】
0005916679.tif 000006
【図６】
0005916679.tif 000007
【図７】
0005916679.tif 000008
【図８】
0005916679.tif 000009
【図９】
0005916679.tif 000010
【図１０】
0005916679.tif 000011
【図１１】
0005916679.tif 000012
【図１２】
0005916679.tif 000013